(57)【要約】【課題】人が興味を示す情報をその人が作成に関与したコンテンツを基にして簡易に取得できる情報処理装置、興味情報提供装置、興味情報提供方法およびプログラムを得ること。【解決手段】文書データから抽出した動詞が人が興味語格納手段１１に格納された興味語であるとき、情報処理装置１０は、セット抽出手段１２の抽出したその動詞とセットされた名詞をキーワードとして情報検索手段１４で情報の検索を行う。興味語としての動詞と文脈上で対となる名詞を事前に登録する必要がない。【選択図】図１
2011180646.tif 000002
【特許請求の範囲】
【請求項１】
人が興味を示す際に使用する可能性のある予め定めた動詞を興味語として格納した興味語格納手段と、
人の興味の分析の対象となる文書データから動詞とその動詞と文脈上で対となる名詞をそれぞれセットとして抽出するセット抽出手段と、
このセット抽出手段で抽出したそれぞれのセットにおける動詞が前記興味語格納手段に格納された興味語に該当するか否かを判別する興味語有無判別手段と、
この興味語有無判別手段によって前記セットにおける動詞が興味語に該当すると判別されたときこれとセットになった名詞をキーワードとしてその名詞に関する情報を検索する情報検索手段
とを具備することを特徴とする情報処理装置。
【請求項２】
前記文書データは、電子メール、ツードゥ（ToDo）、スケジュール、電話帳のようにそれぞれの個人の属性を表わすコンテンツであることを特徴とする請求項１記載の情報処理装置。
【請求項３】
電子メールを受信する電子メール受信手段と、
電話の通信相手のうち所定の者を電子メールのアドレスと対応付けて予め登録した電話帳と、
人が興味を示す際に使用する可能性のある予め定めた動詞を興味語として登録した興味語辞書と、
前記電子メール受信手段が受信した電子メールの送信元のアドレスが前記電話帳に登録されているかを判別する電話帳登録有無判別手段と、
この電話帳登録有無判別手段が前記電話帳に登録されている送信元の電子メールのアドレスから電子メールを受信したと判別したときその電子メールに含まれる動詞が前記興味語辞書に登録されている興味語であるかを判別する興味語判別手段と、
この興味語判別手段によってその動詞が興味語である点と判別されたときその動詞と文脈上で対となる名詞を前記受信した電子メールから抽出する名詞抽出手段と、
この名詞抽出手段によって抽出した名詞をキーワードとしてその名詞に関する情報を検索する情報検索手段と、
この情報検索手段の検索結果を表示するディスプレイ
とを具備することを特徴とする通信端末。
【請求項４】
前記ディスプレイは前記電子メール受信手段の受信した電子メールのタイトルや電子メールの内容を表示する第１のディスプレイと、受信した電子メールの送信元のアドレスが前記電話帳に登録されているかの情報や前記情報検索手段による検索結果を表示する第２のディスプレイを備えていることを特徴とする請求項３記載の通信端末。
【請求項５】
前記電子メール受信手段の受信した電子メールをそれらの送信元のアドレスと関連付けて格納する電子メール格納手段と、
この電子メール格納手段に電子メールが格納されるたびに前記電話帳登録有無判別手段がその電子メールの送信元のアドレスが前記電話帳に登録されているかを判別することを特徴とする請求項３記載の通信端末。
【請求項６】
前記電子メール受信手段の受信した電子メールをそれらの送信元のアドレスと関連付けて格納する電子メール格納手段と、
この電子メール格納手段に格納されている電子メールのリストを表示する電子メールリスト表示手段と、
この電子メールリスト表示手段に表示されている電子メールのリストから所望の電子メールを選択する電子メール選択手段
とを備え、
この電子メール選択手段によって選択した電子メールの送信元のアドレスが前記電話帳に登録されているかを判別することを特徴とする請求項３記載の通信端末。
【請求項７】
人の興味の分析の対象となる文書データから動詞とその動詞と文脈上で対となる名詞をそれぞれセットとして抽出するセット抽出ステップと、
このセット抽出ステップで抽出したそれぞれのセットにおける動詞が、人が興味を示す際に使用する可能性のある予め定めた動詞としての興味語に該当するか否かを判別する興味語有無判別ステップと、
この興味語有無判別ステップによって前記セットにおける動詞が興味語に該当すると判別されたときこれとセットになった名詞をキーワードとしてその名詞に関する情報を検索する情報検索ステップと、
この情報検索ステップで検索した情報を表示する情報表示ステップ
とを具備することを特徴とする興味情報提供方法。
【請求項８】
電子メールを受信する電子メール受信ステップと、
この電子メール受信ステップで受信した電子メールの送信元のアドレスが、電話の通信相手のうち電子メールのアドレスと対応付けて電話帳に予め登録した所定の者の電子メールのアドレスに該当するかを判別する電話帳登録有無判別ステップと、
この電話帳登録有無判別ステップで前記電話帳に登録されている送信元の電子メールのアドレスから電子メールを受信したと判別したときその電子メールに含まれる動詞が、人が興味を示す際に使用する可能性のある予め定めた動詞としての興味語に該当するかを判別する興味語判別ステップと、
この興味語判別ステップによってその動詞が興味語であると判別されたときその動詞と文脈上で対となる名詞を前記受信した電子メールから抽出する名詞抽出ステップと、
この名詞抽出ステップによって抽出した名詞をキーワードとしてその名詞に関する情報を検索する情報検索ステップと、
この情報検索ステップによる検索結果を表示する情報表示ステップ
とを具備することを特徴とする興味情報提供方法。
【請求項９】
コンピュータに、
人の興味の分析の対象となる文書データから動詞とその動詞と文脈上で対となる名詞をそれぞれセットとして抽出するセット抽出処理と、
このセット抽出処理で抽出したそれぞれのセットにおける動詞が、人が興味を示す際に使用する可能性のある予め定めた動詞としての興味語に該当するか否かを判別する興味語有無判別処理と、
この興味語有無判別処理によって前記セットにおける動詞が興味語に該当すると判別されたときこれとセットになった名詞をキーワードとしてその名詞に関する情報を検索する情報検索処理と、
この情報検索処理で検索した情報を表示する情報表示処理
とを実行させることを特徴とする興味情報提供プログラム。
【請求項１０】
コンピュータに、
電子メールを受信する電子メール受信処理と、
この電子メール受信処理で受信した電子メールの送信元のアドレスが、電話の通信相手のうち電子メールのアドレスと対応付けて電話帳に予め登録した所定の者の電子メールのアドレスに該当するかを判別する電話帳登録有無判別処理と、
この電話帳登録有無判別処理で前記電話帳に登録されている送信元の電子メールのアドレスから電子メールを受信したと判別したときその電子メールに含まれる動詞が、人が興味を示す際に使用する可能性のある予め定めた動詞としての興味語に該当するかを判別する興味語判別処理と、
この興味語判別処理によってその動詞が興味語であると判別されたときその動詞と文脈上で対となる名詞を前記受信した電子メールから抽出する名詞抽出処理と、
この名詞抽出処理によって抽出した名詞をキーワードとしてその名詞に関する情報を検索する情報検索処理と、
この情報検索処理による検索結果を表示する情報表示処理
とを実行させることを特徴とする興味情報提供プログラム。
【発明の詳細な説明】
【技術分野】
【０００１】
本発明は、人が興味を持つ情報を提示する情報処理装置、通信端末、興味情報提供方法および興味情報提供プログラムに関する。
【背景技術】
【０００２】
各種の商品が実店舗にあふれるように存在している。また、インターネットを利用したウェブ上の店舗が拡大しており、実店舗で入手しにくいような比較的レアな商品や規格外の商品についても、ユーザが簡単に購入できるようになっている。
【０００３】
この一方で、多くの消費者は多忙な生活に追われ、商品を購入すべき時機を忘れてしまう場合がある。また、購入時期が近づいても実店舗に足を運ぶ時間的な余裕がなく、当初予定していた商品よりも簡単に手にできる商品を購入してしまう場合も多い。
【０００４】
そこで本発明の第１の関連技術として、携帯電話機等の機器のユーザに好適な商品を適宜推薦する情報提供サーバが提案されている（たとえば特許文献１参照）。この第１の関連技術では、ユーザの取得した放送番組の作品情報からそのユーザの嗜好に合ったキーワードを抽出する。キーワードの抽出に際しては、コンテンツデータのテキスト部分について、文法や辞書データに基づいて、後に説明する形態素に分解する形態素解析の手法が採用されている。
【０００５】
第１の関連技術では、抽出したキーワードに関連する属性情報を商品データ記憶部から検索して、その属性情報に対応する商品ＩＤを含む商品の推薦データを出力するようにしている。このため、第１の関連技術を用いることで、その嗜好抽出部が利用者の嗜好にあった商品やサービスを検索して提示することが可能になる。しかしながら、第１の関連技術を使用した場合には、ユーザの知人に商品を薦めたりプレゼントを行う場合のようにユーザ以外の者に対する商品情報を入手対象として検索し、提示する場合への対応が困難である。
【０００６】
そこで、本発明の第２の関連技術として、電子メール等の文書の中からユーザ以外の特定人の興味の対象となる単語を取得して、これを基に関連する情報を提供することが提案されている（たとえば特許文献２参照）。この第２の関連技術でも、形態素解析の手法を採用している。
【０００７】
ここで形態素解析とは、文章を意味を持つ最小単位の慣用句や単語に分割する処理をいう。したがって、該当する文章が携帯端末の他の人から送られてきた注文書のようなものであれば、形態素解析によって分解された慣用句や単語が商品に関する情報を検索する上で重要なキーワードになる可能性は大きい。しかしながら、このような文章以外の文章について形態素解析を行っても、結果として得られた慣用句や単語は購入対象となる商品とは全く無関係である可能性が高く、これを基にして検索した結果は有用な情報を含まない可能性が大きい。
【０００８】
そこで先に説明した第１の関連技術では、嗜好抽出部が嗜好情報データを用いることにしている。嗜好情報データとは、機器ＩＤをキーとして、複数のキーワードと、キーワードの種類と、優先度と更新日時が関連づけられたものとなっている。たとえば、対象とする機器がテレビジョンの録画機器の場合には、放送番組のジャンルとして「ドキュメンタリ」とか「バラエティ」を嗜好情報データとして登録しておく。また、キーワードとして、たとえば「ぬいぐるみ」を嗜好情報データとして登録しておく。これにより、形態素解析により分解された慣用句や単語が登録された嗜好情報データと一致したことをもって、その嗜好情報データに関する情報（ここではテレビジョン番組）を取得することができる。
【０００９】
一方、第２の関連技術では電子メールの送受信により取得した文書から、ユーザの興味に対応する単語としての興味語を抽出し、興味データのデータベースを作成するようにしている。この興味語は第２の関連技術の場合には名詞である。したがって、第２の関連技術では興味語を名詞として１つずつ興味データのデータベースへの登録を行い、これを形態素解析によって分解された慣用句や単語と比較して、興味語ベクトルを抽出して、これを基にして興味データを作成するようにしている。
【先行技術文献】
【特許文献】
【００１０】
【特許文献１】特開２００９−１１１８７１号公報（第００５０段落、第００６１段落〜第００６９段落、図１１）
【特許文献２】再公表特許ＷＯ２００３／０８３７２３（第１４ページ第１４行目〜第１５行目、第１５ページ第１５行目〜第２３行目、第１６ページ第３行目〜第７行目、第２４ページ第４６行目〜第５０行目）
【発明の概要】
【発明が解決しようとする課題】
【００１１】
しかしながら、これら第１の関連技術および第２の関連技術では、形態素解析によって分解された慣用句や単語を興味を示すものとして予め登録した単語等の名詞と比較している。このため、興味を示すものとして予め登録した名詞に該当しない場合には、それに関する情報を取得することはできない。たとえば、ユーザは自分の興味を示す分野の名詞は登録可能である点が、他人の興味を示す分野を事前に予知してこれらを包含するように多くの名詞をデータベースに登録することは不可能である。
【００１２】
ももちろん、あらゆる名詞を興味の対象としてデータベースに登録しておくことは可能である。しかしながら、このような用語辞典のようなデータベースを用意しておくと、形態素解析によって分解された慣用句や単語の多くがこのデータベースにヒットすることになる。したがって、あらゆる商品等の情報が提供の対象となって、ユーザは選択された情報を得るという利益を何ら有さないことになる。
【００１３】
そこで本発明の目的は、人が興味を示す情報をその人が所有する端末に存在するコンテンツを基にして簡易に取得することのできる情報処理装置、興味情報提供装置、興味情報提供方法および興味情報提供プログラムを提供することにある。
【課題を解決するための手段】
【００１４】
本発明では、（イ）人が興味を示す際に使用する可能性のある予め定めた動詞を興味語として格納した興味語格納手段と、（ロ）人の興味の分析の対象となる文書データから動詞とその動詞と文脈上で対となる名詞をそれぞれセットとして抽出するセット抽出手段と、（ハ）このセット抽出手段で抽出したそれぞれのセットにおける動詞が前記した興味語格納手段に格納された興味語に該当するか否かを判別する興味語有無判別手段と、（ニ）この興味語有無判別手段によって前記したセットにおける動詞が興味語に該当すると判別されたときこれとセットになった名詞をキーワードとしてその名詞に関する情報を検索する情報検索手段とを情報処理装置が具備する。
【００１５】
また、本発明では、（イ）電子メールを受信する電子メール受信手段と、（ロ）電話の通信相手のうち所定の者を電子メールのアドレスと対応付けて予め登録した電話帳と、（ハ）人が興味を示す際に使用する可能性のある予め定めた動詞を興味語として登録した興味語辞書と、（ニ）前記した電子メール受信手段が受信した電子メールの送信元のアドレスが前記した電話帳に登録されているかを判別する電話帳登録有無判別手段と、（ホ）この電話帳登録有無判別手段が前記した電話帳に登録されている送信元の電子メールのアドレスから電子メールを受信したと判別したときその電子メールに含まれる動詞が前記した興味語辞書に登録されている興味語であるかを判別する興味語判別手段と、（へ）この興味語判別手段によってその動詞が興味語である点と判別されたときその動詞と文脈上で対となる名詞を前記した受信した電子メールから抽出する名詞抽出手段と、（ト）この名詞抽出手段によって抽出した名詞をキーワードとしてその名詞に関する情報を検索する情報検索手段と、（チ）この情報検索手段の検索結果を表示するディスプレイとを通信端末が具備する。
【００１６】
更に本発明では、（イ）人の興味の分析の対象となる文書データから動詞とその動詞と文脈上で対となる名詞をそれぞれセットとして抽出するセット抽出ステップと、（ロ）このセット抽出ステップで抽出したそれぞれのセットにおける動詞が、人が興味を示す際に使用する可能性のある予め定めた動詞としての興味語に該当するか否かを判別する興味語有無判別ステップと、（ハ）この興味語有無判別ステップによって前記したセットにおける動詞が興味語に該当すると判別されたときこれとセットになった名詞をキーワードとしてその名詞に関する情報を検索する情報検索ステップと、（ニ）この情報検索ステップで検索した情報を表示する情報表示ステップとを興味情報提供方法が具備する。
【００１７】
更にまた本発明では、（イ）電子メールを受信する電子メール受信ステップと、（ロ）この電子メール受信ステップで受信した電子メールの送信元のアドレスが、電話の通信相手のうち電子メールのアドレスと対応付けて電話帳に予め登録した所定の者の電子メールのアドレスに該当するかを判別する電話帳登録有無判別ステップと、（ハ）この電話帳登録有無判別ステップで前記した電話帳に登録されている送信元の電子メールのアドレスから電子メールを受信したと判別したときその電子メールに含まれる動詞が、人が興味を示す際に使用する可能性のある予め定めた動詞としての興味語に該当するかを判別する興味語判別ステップと、（ニ）この興味語判別ステップによってその動詞が興味語であると判別されたときその動詞と文脈上で対となる名詞を前記した受信した電子メールから抽出する名詞抽出ステップと、（ホ）この名詞抽出ステップによって抽出した名詞をキーワードとしてその名詞に関する情報を検索する情報検索ステップと、（へ）この情報検索ステップによる検索結果を表示する情報表示ステップとを興味情報提供方法が具備する。
【００１８】
また、本発明では、コンピュータに、興味情報提供プログラムとして、（イ）人の興味の分析の対象となる文書データから動詞とその動詞と文脈上で対となる名詞をそれぞれセットとして抽出するセット抽出処理と、（ロ）このセット抽出処理で抽出したそれぞれのセットにおける動詞が、人が興味を示す際に使用する可能性のある予め定めた動詞としての興味語に該当するか否かを判別する興味語有無判別処理と、（ハ）この興味語有無判別処理によって前記したセットにおける動詞が興味語に該当すると判別されたときこれとセットになった名詞をキーワードとしてその名詞に関する情報を検索する情報検索処理と、（ニ）この情報検索処理で検索した情報を表示する情報表示処理とを実行させることを特徴としている。
【００１９】
更に本発明では、コンピュータに、興味情報提供プログラムとして、（イ）電子メールを受信する電子メール受信処理と、（ロ）この電子メール受信処理で受信した電子メールの送信元のアドレスが、電話の通信相手のうち電子メールのアドレスと対応付けて電話帳に予め登録した所定の者の電子メールのアドレスに該当するかを判別する電話帳登録有無判別処理と、（ハ）この電話帳登録有無判別処理で前記した電話帳に登録されている送信元の電子メールのアドレスから電子メールを受信したと判別したときその電子メールに含まれる動詞が、人が興味を示す際に使用する可能性のある予め定めた動詞としての興味語に該当するかを判別する興味語判別処理と、（ニ）この興味語判別処理によってその動詞が興味語であると判別されたときその動詞と文脈上で対となる名詞を前記した受信した電子メールから抽出する名詞抽出処理と、（ホ）この名詞抽出処理によって抽出した名詞をキーワードとしてその名詞に関する情報を検索する情報検索処理と、（へ）この情報検索処理による検索結果を表示する情報表示処理とを実行させることを特徴としている
【発明の効果】
【００２０】
以上説明したように本発明によれば、人の興味の分析の対象となる文書データから動詞とその動詞と文脈上で対となる名詞をそれぞれセットとして抽出し、動詞が予め定めた興味語である場合に、セットとなった名詞に関する情報を検索することにした。このため、興味語としての動詞と文脈上で対となる名詞は予め登録する必要がなく、比較的新しい名詞や分析の対象となる人が独自に使用する名詞も情報の検索のためのキーワードとなり得るので、検索の確度が増すという利点がある。また、動詞の種類は名詞の種類よりも少ないので、これらの登録管理が容易である。更に興味語を情報処理装置あるいは端末内に格納する際に使用するメモリ容量が少なくて済むという利点もある。
【００２１】
更に本発明によれば、受信した電子メールの送信元のアドレスを電話帳によってチェックして、検索の対象となる電子メールであるかを判別することにした。これにより、情報の検索の対象とならない迷惑メール等の電子メールを排除して効率的な検索処理を行うことができる。
【図面の簡単な説明】
【００２２】
【図１】本発明の情報処理装置のクレーム対応図である。
【図２】本発明の通信端末のクレーム対応図である。
【図３】本発明の興味情報提供方法のクレーム対応図である。
【図４】本発明の他の興味情報提供方法のクレーム対応図である。
【図５】本発明の興味情報提供プログラムのクレーム対応図である。
【図６】本発明の他の興味情報提供プログラムのクレーム対応図である。
【図７】本発明の実施の形態による情報処理装置としての通信端末がインターネットに接続した状態を表わした概略構成図である。
【図８】本実施の形態で特定の人が興味を持つ商品の検索処理の様子を表わした流れ図である。
【図９】本実施の形態で使用される興味辞書の一部を表わした説明図である。
【図１０】本発明の第１の実施例における情報処理装置としての携帯電話機がインターネットに接続した状態を表わした概略構成図である。
【図１１】携帯電話機が電子メールを受信するたびに検索要求が行われる第１の実施例での商品の検索処理の様子を表わした流れ図である。
【図１２】第１の実施例で電子メール格納部に格納された電子メールのタイトルの一覧が携帯電話機のディスプレイに表示された状態を表わした平面図である。
【図１３】ステップＳ２１２で商品情報が表示されたディスプレイの平面図である。
【図１４】本発明の第１の実施例の変形例としての商品情報の追加検索処理の様子を表わした流れ図である。
【図１５】本発明の第２の実施例における情報処理装置としての携帯電話機がインターネットに接続した状態を表わした概略構成図である。
【図１６】第２の実施例で折り畳み式の携帯電話機を開いたときにおける検索前の表示状態を表わした平面図である。
【図１７】第２の実施例で電話帳に登録された送信元から送られた電子メールを開いた状態での折り畳み式の携帯電話機の表示状態の一例を示した平面図である。
【発明を実施するための形態】
【００２３】
図１は、本発明の情報処理装置のクレーム対応図を示したものである。本発明の情報処理装置１０は、興味語格納手段１１と、セット抽出手段１２と、興味語有無判別手段１３と、情報検索手段１４を備えている。ここで、興味語格納手段１１は、人が興味を示す際に使用する可能性のある予め定めた動詞を興味語として格納している。セット抽出手段１２は、人の興味の分析の対象となる文書データから動詞とその動詞と文脈上で対となる名詞をそれぞれセットとして抽出する。興味語有無判別手段１３は、セット抽出手段１２で抽出したそれぞれのセットにおける動詞が興味語格納手段１１に格納された興味語に該当するか否かを判別する。情報検索手段１４は、興味語有無判別手段１３によって前記したセットにおける動詞が興味語に該当すると判別されたときこれとセットになった名詞をキーワードとしてその名詞に関する情報を検索する。
【００２４】
図２は、本発明の通信端末のクレーム対応図を示したものである。本発明の通信端末２０は、電子メール受信手段２１と、電話帳２２と、興味語辞書２３と、電話帳登録有無判別手段２４と、興味語判別手段２５と、名詞抽出手段２６と、情報検索手段２７と、ディスプレイ２８を備えている。ここで、電子メール受信手段２１は、電子メールを受信する。電話帳２２は、電話の通信相手のうち所定の者を電子メールのアドレスと対応付けて予め登録したものである。興味語辞書２３は、人が興味を示す際に使用する可能性のある予め定めた動詞を興味語として登録したものである。電話帳登録有無判別手段２４は、電子メール受信手段２１が受信した電子メールの送信元のアドレスが電話帳２２に登録されているかを判別する。興味語判別手段２５は、電話帳登録有無判別手段２４が電話帳２２に登録されている送信元の電子メールのアドレスから電子メールを受信したと判別したときその電子メールに含まれる動詞が興味語辞書２３に登録されている興味語であるかを判別する。名詞抽出手段２６は、興味語判別手段２５によってその動詞が興味語である点と判別されたときその動詞と文脈上で対となる名詞を前記した受信した電子メールから抽出する。情報検索手段２７は、名詞抽出手段２６によって抽出した名詞をキーワードとしてその名詞に関する情報を検索する。ディスプレイ２８は、情報検索手段２７の検索結果を表示する。
【００２５】
図３は、本発明の興味情報提供方法のクレーム対応図を示したものである。本発明の興味情報提供方法３０は、セット抽出ステップ３１と、興味語有無判別ステップ３２と、情報検索ステップ３３と、情報表示ステップ３４を備えている。ここで、セット抽出ステップ３１では、人の興味の分析の対象となる文書データから動詞とその動詞と文脈上で対となる名詞をそれぞれセットとして抽出する。興味語有無判別ステップ３２では、セット抽出ステップ３１で抽出したそれぞれのセットにおける動詞が、人が興味を示す際に使用する可能性のある予め定めた動詞としての興味語に該当するか否かを判別する。情報検索ステップ３３では、興味語有無判別ステップ３２によって前記したセットにおける動詞が興味語に該当すると判別されたときこれとセットになった名詞をキーワードとしてその名詞に関する情報を検索する。情報表示ステップ３４では、情報検索ステップ３３で検索した情報を表示する。
【００２６】
図４は、本発明の他の興味情報提供方法のクレーム対応図を示したものである。本発明の興味情報提供方法４０は、電子メール受信ステップ４１と、電話帳登録有無判別ステップ４２と、興味語判別ステップ４３と、名詞抽出ステップ４４と、情報検索ステップ４５と、情報表示ステップ４６を備えている。ここで、電子メール受信ステップ４１では、電子メールを受信する。電話帳登録有無判別ステップ４２では、電子メール受信ステップ４１で受信した電子メールの送信元のアドレスが、電話の通信相手のうち電子メールのアドレスと対応付けて電話帳に予め登録した所定の者の電子メールのアドレスに該当するかを判別する。興味語判別ステップ４３では、電話帳登録有無判別ステップ４２で前記した電話帳に登録されている送信元の電子メールのアドレスから電子メールを受信したと判別したときその電子メールに含まれる動詞が、人が興味を示す際に使用する可能性のある予め定めた動詞としての興味語に該当するかを判別する。名詞抽出ステップ４４では、興味語判別ステップ４３によってその動詞が興味語であると判別されたときその動詞と文脈上で対となる名詞を前記した受信した電子メールから抽出する。情報検索ステップ４５では、名詞抽出ステップ４４によって抽出した名詞をキーワードとしてその名詞に関する情報を検索する。情報表示ステップ４６では、情報検索ステップ４５による検索結果を表示する。
【００２７】
図５は、本発明の興味情報提供プログラムのクレーム対応図を示したものである。本発明の興味情報提供プログラム５０は、コンピュータに、セット抽出処理５１と、興味語有無判別処理５２と、情報検索処理５３と、情報表示処理５４を実行させるようにしている。ここで、セット抽出処理５１では、人の興味の分析の対象となる文書データから動詞とその動詞と文脈上で対となる名詞をそれぞれセットとして抽出する。興味語有無判別処理５２では、セット抽出処理５１で抽出したそれぞれのセットにおける動詞が、人が興味を示す際に使用する可能性のある予め定めた動詞としての興味語に該当するか否かを判別する。情報検索処理５３では、興味語有無判別処理５２によって前記したセットにおける動詞が興味語に該当すると判別されたときこれとセットになった名詞をキーワードとしてその名詞に関する情報を検索する。情報表示処理５４では、情報検索処理５３で検索した情報を表示する。
【００２８】
図６は、本発明の他の興味情報提供プログラムのクレーム対応図を示したものである。本発明の興味情報提供プログラム６０は、コンピュータに電子メール受信処理６１と、電話帳登録有無判別処理６２と、興味語判別処理６３と、名詞抽出処理６４と、情報検索処理６５と、情報表示処理６６を実行させるようにしている。ここで、電子メール受信処理６１では、電子メールを受信する。電話帳登録有無判別処理６２では、電子メール受信処理６１で受信した電子メールの送信元のアドレスが、電話の通信相手のうち電子メールのアドレスと対応付けて電話帳に予め登録した所定の者の電子メールのアドレスに該当するかを判別する。興味語判別処理６３では、電話帳登録有無判別処理６２で前記した電話帳に登録されている送信元の電子メールのアドレスから電子メールを受信したと判別したときその電子メールに含まれる動詞が、人が興味を示す際に使用する可能性のある予め定めた動詞としての興味語に該当するかを判別する。名詞抽出処理６４では、興味語判別処理６３によってその動詞が興味語であると判別されたときその動詞と文脈上で対となる名詞を前記した受信した電子メールから抽出する。情報検索処理６５では、名詞抽出処理６４によって抽出した名詞をキーワードとしてその名詞に関する情報を検索する。情報表示処理６６では、情報検索処理６５による検索結果を表示する。
【００２９】
＜発明の実施の形態＞
【００３０】
次に本発明の実施の形態を説明する。
【００３１】
図７は、本発明の実施の形態による情報処理装置としての通信端末がインターネットに接続した状態を表わしたものである。本実施の形態の通信端末１００は、インターネット１０１と接続してデータの送受信を行う通信部１１１を備えている。また、特定人が興味を示す商品の検索を行う際の入力装置としての検索要求入力部１１２を備えている。検索要求入力部１１２は、たとえばキーボードから構成されている。
【００３２】
検索要求入力部１１２は検索要求部１１３と接続されている。検索要求部１１３は、コンテンツ蓄積部１１４、興味対象抽出部１１５および商品検索部１１６と接続している。このうち検索要求部１１３は検索要求入力部１１２から入力された情報を基にして、コンテンツ蓄積部１１４から検索対象のコンテンツを選択する。そして、この選択したコンテンツを基にして通信端末１００のユーザと関係した特定の者の興味対象となる商品を検索する要求を興味対象抽出部１１５に対して行う。ここでコンテンツとは、ディジタルデータとして表現される内容であり、電子メール等の文章やこれに含まれる単語も含まれる。コンテンツ蓄積部１１４は、具体的には電子メールや、やらなければならないことを記録したツードゥ（ToDo）、スケジュール、電話帳のようにユーザが作成または入手したコンテンツを蓄積するようになっている。
【００３３】
興味対象抽出部１１５は検索要求部１１３により選択されたコンテンツを解析して、名詞と動詞のセットを抽出する。抽出した動詞に興味を示す意味が含まれている場合は、名詞に対する検索を要求する。興味対象抽出部１１５は興味辞書１１７を接続しており、抽出した動詞が興味を示す意味か否かの照合に用いる。興味辞書１１７には、予め興味の意味を持つ各種の動詞が登録されている。ユーザは必要に応じて手入力や図示しないメモリカードあるいはインターネット１０１等の通信手段を使用して興味辞書１１７の内容を追加したり編集することも可能である。
【００３４】
商品検索部１１６は、通信部１１６および検索結果提示部１１８と接続されている。商品検索部１１６は、検索要求部１１３からユーザが入力したデータに応じて、商品の情報や商品の入手先を、たとえばインターネット１０１から検索する。検索結果提示部１１８は、たとえば液晶ディスプレイで構成されており、商品検索部１１６が検索した結果を表示する。
【００３５】
図７に示した通信端末１００は、図示しないがＣＰＵ（Central Processing Unit）と、このＣＰＵが実行する制御プログラムを格納した記憶媒体を備えている。通信部１１１等の各部の少なくとも一部は、ＣＰＵが制御プログラムを実行することによってソフトウェア的に実現する機能部で構成することができる。
【００３６】
図８は、本実施の形態で特定の人が興味を持つ商品の検索処理の様子を表わしたものである。図７と共に説明する。
【００３７】
図７に示す通信端末１００の検索要求入力部１１２は、検索要求が発生するのを待機する（ステップＳ２０１）。たとえば通信端末１００の検索が行われる条件として、ユーザが電子メールの受信が行われたときと初期設定していたとする。この場合には、通信端末１００が電子メールを受信するたびに検索要求が発生する（Ｙ）。
【００３８】
このような例と異なり、通信端末１００のユーザはコンテンツ蓄積部１１４に格納された過去に受信した電子メールとその送信者との関係で検索要求が発生するように検索の初期設定を行うこともできる。ここでは、たとえばユーザがＡさんの興味を持つ商品を検索するために、検索要求入力部１１２を用いて電子メールの検索要求を行う例を説明する。この例の場合、ステップＳ２０１の処理は、ユーザがＡさんから来た電子メールをコンテンツとして指定して、Ａさんの興味を持つ商品の検索を要求することになる。
【００３９】
検索要求部１１３は検索要求入力部１１２から入力された検索要求に基づいてコンテンツ蓄積部１１４から検索対象のコンテンツとしてのＡさんから送られてきた電子メールを取得する（ステップＳ２０２）。そして、この電子メールのタイトルや本文を文法で解析して、名詞と動詞のセットをすべて抽出する（ステップＳ２０３）。
【００４０】
検索要求部１１３は、抽出した名詞と動詞のセットにおける動詞（verb）を１つずつ処理する際のパラメータＶを「１」に初期化する（ステップＳ２０４）。そして、まず第１の動詞（Ｖ＝１）は、人が興味を示す際に使用する動詞であるかを判別する（ステップＳ２０５）。たとえば「好き」、「欲しい」、「買いたい」、「買ってもらいたい」のように検索要求部１１３で予め登録しておいた人が興味を示す際に使用する動詞としての興味語のいずれかに一致した場合には（Ｙ）、その動詞にセットとなった名詞に関連する商品情報を商品検索部１１６を用いて検索する（ステップＳ２０６）。
【００４１】
たとえばコンテンツとしてＡさんから送られてきた電子メールの中に「万年筆を買いたい」という文章があったとすれば、「万年筆」という名詞と「買いたい」という動詞がセットになっている。したがって、「買いたい」あるいは「買う」という動詞が興味語に該当するものとすると、名詞の「万年筆」に関連する商品情報が商品検索部１１６によって検索されることになる。
【００４２】
このようにして該当する商品情報がインターネット１０１上のモールに存在するような場合（ステップＳ２０７：Ｙ）、商品検索部１１６はその商品情報を前記した記憶媒体の一時記憶領域に記憶させる（ステップＳ２０８）。商品情報には、性別、年齢別等の使用者のタイプ別に分けられた商品の候補、商品の一般的な説明や該当する商品を取り扱う店舗の名称や電話番号あるいはＵＲＬ（Uniform Resource Locator）等の各種の情報が含まれる。
【００４３】
１つの動詞についての以上の処理が終了したら、検索要求部１１３は、ステップＳ２０３で抽出した名詞と動詞のセットにおける動詞の数の最大値ＶMAXと現在処理を行った動詞の番号Ｖの大小関係を比較する（ステップＳ２０９）。この結果、ステップＳ２０３で抽出した全部の動詞についての処理がまだ終了していないと判別した場合には（Ｎ）、処理する動詞の番号を「１」だけ加算して（ステップＳ２１０）、新たな第Ｖの動詞に関してステップＳ２０５の処理に進むことになる。
【００４４】
一方、ステップＳ２０５で第Ｖの動詞が興味語であると判別できなかった場合（Ｎ）、興味対象抽出部１１５が興味辞書１１７を検索して、該当する動詞が登録されているかを判別する（ステップＳ２１１）。この結果、興味辞書１１７に該当する動詞が登録されている場合には（Ｙ）、ステップＳ２０６の処理へ進むことになる。
【００４５】
図９は、興味辞書の一部を表わしたものである。興味辞書１１７には、ユーザが登録した興味語（動詞）が格納されている。ユーザは、興味辞書１１７を検索の対象となった人物ごとに設定したり、これらの人物の年齢や性別に分けて設定することもできる。
【００４６】
図８に戻って説明を続ける。ステップＳ２０３で抽出した名詞と動詞のセットにおけるすべての動詞の処理が終了したら（ステップＳ２０９：Ｙ）、ステップＳ２０８で一時的に記憶した商品情報の一覧を検索結果提示部１１８で表示し（ステップＳ２１２）、一連の処理が終了する（エンド）。ユーザは、検索結果提示部１１８に表示された結果を見て、たとえばＡさんにプレゼントする商品を選択することができる。なお、ステップＳ２１１で興味辞書１１７に該当する動詞が登録されていないと判別した場合には（Ｎ）、ステップＳ２０９へ処理が進む。また、ステップＳ２０７で該当する商品情報が存在しないとされた場合にも（Ｎ）、ステップＳ２０９に処理が進むことになる。
【実施例１】
【００４７】
次に、以上説明した実施の形態を更に具体化した本発明の第１の実施例を説明する。
【００４８】
図１０は、第１の実施例における情報処理装置としての携帯電話機がインターネットに接続した状態を表わしたものである。図１０で図７と同一部分には同一の符号を付しており、これらの説明を適宜省略する。
【００４９】
第１の実施例の携帯電話機１００Ａは、ＣＰＵ３０１とメモリ３０２を備えた主制御部３０３を有している。ＣＰＵ３０１はメモリ３０２に格納した制御プログラムを実行することによって携帯電話機１００Ａの各部を制御する。また、これら各部のうちの少なくも一部をソフトウェア的に実現することができる。
【００５０】
通信部１１１Ａには、公衆無線通信網と通信が可能な公衆無線通信部３１１が備えられている。もちろん、図示しない他の携帯電話機やＰＨＳ（Personal Handy-phone System）等の通信端末との通信のための赤外線通信部や、ブルートゥース（Bluetooth）等の他の通信を可能とする無線通信部が付加的に備えられていてもよい。
【００５１】
検索要求入力部１１２Ａは、各種データの入力にクウェルティ（QWERTY）配列のフルキーボードを使用している。クウェルティとは、英字の最上段のキー配列における左から６文字が「ＱＷＥＲＴＹ」の並びとなっているもので、通常の英字のタイプライタと同様の配列のためにデータの入力が容易であるという特徴がある。もちろん、日本語の５０音配列のキーボード等の他のキーボードが使用されるものであってもよい。
【００５２】
コンテンツ蓄積部１１４Ａは、電子メール格納部３１３と電話帳格納部３１４を備えている。電子メール格納部３１３には、インターネット１０１等の通信ネットワークを介して、他の携帯電話機等の電子装置とやりとりした電子メールのメッセージや、携帯電話機１００Ａのユーザが作成したメッセージが、通信相手の電子メールのアドレスと対応付けて格納されるようになっている。電話帳格納部３１４には通信相手の姓名や電話番号、電子メールのアドレスが格納されるようになっている。電話帳格納部３１４には、各通信相手の住所や写真が登録されるようになっていてもよい。
【００５３】
検索結果提示部１１８Ａは、液晶ディスプレイ３１６を備えている。液晶ディスプレイ３１６の代わりに、有機ＥＬディスプレイ（organic electroluminescence display）等の他のディスプレイであってもよい。液晶ディスプレイ３１６は、携帯電話機１００Ａのユーザに各種の情報を視覚的に表示する。たとえば、検索要求の入力情報や商品の検索結果だけでなく、興味辞書１１７の内容も表示する。
【００５４】
図１１は、携帯電話機が電子メールを受信するたびに検索要求が行われる第１の実施例での商品の検索処理の様子を表わしたものである。図１０と共に説明する。また、図１１で図８と同一の処理を行う場合には同一のステップ番号を付しており、これらの説明を適宜省略する。
【００５５】
主制御部３０３は電子メールの受信を待機している（ステップＳ４０１）。電子メールの受信があると（Ｙ）、主制御部３０３はコンテンツ蓄積部１１４Ａにおける電子メール格納部３１３から直前に受信したその電子メールの送信元のアドレスを読み出して、電話帳格納部３１４に格納された電話帳に登録されている者の電子メールのアドレスであるかを判別する（ステップＳ４０２）。電話帳に登録されていない者の電子メール青ドレスである場合には（Ｎ）、その電子メールに対する検索要求処理を終了して、再びステップＳ４０１に処理を戻す（リターン）。
【００５６】
送信元の電子メールのアドレスが電話帳に登録されていた場合には（ステップＳ４０２：Ｙ）、電子メール格納部３１３から直前に受信したその電子メールのコンテンツを取得する（ステップＳ４０３）。そして、このコンテンツを文法で解析して、名詞と動詞のセットをすべて抽出する（ステップＳ２０３）。
【００５７】
電子メールの送信者が電話帳に登録されているかどうかを確認することにしているのは、特定人の興味を示す商品を探す場合、その特定人は携帯電話機１００Ａのユーザの知人である可能性が高く、電子メールを交換する相手である可能性が高いからである。また、電子メールを検索の対象となるコンテンツとして選択しているのは、一般に電子メールがその送信者の願望や各種の商品に対する好き嫌いを伝達する重要な手段となっているからである。
【００５８】
反対に、電話帳に登録していない送信元からのメールはユーザと何の関係もない者からの迷惑メールである可能性が高い。このような電子メールの送信元について、検索を行って商品についての情報を取得するメリットはない。また携帯電話機１００Ａの検索対象を不必要に広げ、ユーザにその結果を逐一表示することは、報告を受けるユーザにとっても煩わしい。
【００５９】
図１２は、電子メール格納部に格納された電子メールのタイトルの一覧が携帯電話機のディスプレイに表示された状態を表わしたものである。ディスプレイ３１６には、「昨日の件について」等の受信した電子メールのタイトルが各種表示される。ここで、矢印３４１で示した「クリスマスのプレゼント」というタイトルの電子メールが受信されて、そのコンテンツから名詞と動詞のセットが抽出されるものとする。
【００６０】
一例としてこの電子メールの本文に「クリスマスにトナカイのぬいぐるみが欲しい」という内容の文章があったとする。この場合、ステップＳ２０３の処理では、まず、この文章を、「クリスマス」、「に」、「トナカイ」、「の」、「ぬいぐるみ」、「が」、「欲しい」と分解する。この場合、名詞は「クリスマス」、「トナカイ」および「ぬいぐるみ」であり、動詞が「欲しい」となる。
【００６１】
文章の解析は、一例としてコーパス（Corpus）解析を用いる。コーパス解析では、大量に収集された書き言葉等のテキストデータを用いて言葉の隠れた特徴や言語の傾向を明らかにする。上に挙げた文章では、「トナカイのぬいぐるみ」と「欲しい」をそれぞれ一連の名詞と動詞の組み合わせとして抽出する。「クリスマスのプレゼント」というタイトルの電子メールに他の名詞と動詞の組み合わせがあれば、これらも同様に別の組み合わせとして抽出する。
【００６２】
ステップＳ２０３からステップＳ２１２までの処理は、図８に示した通りである。すなわち、検索要求部１１３は、抽出した名詞と動詞のセットにおける動詞（verb）を１つずつ処理する際のパラメータＶを「１」に初期化する（ステップＳ２０４）。そして、まず第１の動詞（Ｖ＝１）は、人が興味を示す際に使用する動詞であるかを判別する（ステップＳ２０５）。
【００６３】
「クリスマスのプレゼントはトナカイのぬいぐるみがほしい」という文章の場合、「ほしい」という動詞は興味語である（ステップＳ２０５：Ｙ）。そこで、これとセットになった名詞に関連する商品を商品検索部１１６で検索することになる。興味対象抽出部１１５が「ほしい」という動詞について興味語であるか判別できない場合には、興味辞書１１７の内容を参照することになる。
【００６４】
ステップＳ２０５で興味対象抽出部１１５が興味語についての独自の判断を行わず、各動詞についてそれが興味語であるかを興味辞書１１７によってすべて判別するようにしてもよい。このように興味辞書１１７のみが興味語の判別を行う場合、興味辞書１１７には典型的な興味語を予め基本辞書として格納しておくことが望ましい。ユーザは、方言等の興味語をユーザ辞書として登録することで興味辞書１１７を充実させることができる。
【００６５】
本実施例で「ほしい」という動詞が興味語であると判別された場合、セットになった名詞である「トナカイ」および「ぬいぐるみ」についてインターネット１０１を用いた商品情報の検索が行われる（ステップＳ２０６）。これらの名詞について商品情報が存在した場合（ステップＳ２０７：Ｙ）、前記した記憶媒体の一時記憶領域にこれらの商品情報が記憶される（ステップＳ２０８）。
【００６６】
商品の検索にあたっては、既存のインターネット１０１上の一般の検索サイトや商品販売サイトを用いてもよい。また、必要に応じて、通信キャリアや携帯電話機１００Ａの提供元が設けた検索サイトや商品販売サイトを検索の対象としたり、これらをデフォルトの検索用サイトとして設定することも可能である。もちろん、これら携帯電話機１００Ａと特別な関係するサイトから商品を購入する際に、ユーザに割引やポイントの付与等の得点が与えられるものであってもよい。
【００６７】
図１３は、ステップＳ２１２で商品情報が表示される場合の一例を表わしたものである。この例では、図１０に示した携帯電話機１００Ａのディスプレイ３１６が上下２つのウィンドウ３５１、３５２に分割されている。上側のウィンドウ３５１には、受信した電子メールにおける興味語を含む文章がそれらの周辺の文章と共に表示されている。
【００６８】
下側のウィンドウ３５２には、商品情報がそれぞれの「名詞」に対して表示されている。この例では、「ぬいぐるみ」や「トナカイ」等の商品情報が項目別に表示されている。一般に携帯電話機１００Ａのディスプレイ３１６の表示面積はそれほど大きくない。そこで下側のウィンドウ３５２には、商品情報の概要が表示され、これらの商品情報の表示領域に、それぞれ対応するＵＲＬを埋め込んでおくようにしてもよい。これにより、ユーザは該当する項目を選択することで、ウエブ上の所望のサイトをアクセスし、たとえばディスプレイ３１６の全面に詳細な商品情報を表示することができる。
【００６９】
図１３に示した例では「名詞」を上位概念の「ぬいぐるみ」と、下位概念の「トナカイのぬいぐるみ」に分けている。これにより、ユーザが商品を選択する際に「トナカイのぬいぐるみ」に特化した商品情報を表示すると共に、「トナカイ」以外の「ぬいぐるみ」に対しても商品情報を収集できるようにして、商品の選択の幅を広げている。
【００７０】
以上説明した第１の実施例によれば、電子メールを解析して、電子メールを送信してきた端末利用者が入手したいと予想される商品名を抽出することができる。したがって、商品の情報が記載されたサイトや商品の販売サイトを検索してその者に提示することで、その者にプレゼントを贈る場合だけでなく、その者に商品を薦める際にも各種の情報を基にして意に適った商品を薦めることができる。
【００７１】
また、第１の実施例では送信元の電子メールのアドレスが携帯電話機等の通信端末に登録されていることを条件に商品情報の検索を行うようにしている。このため、スパムメールの発信者のように電子メールの受信者の通信端末の電話帳に登録を行っていない者から到来した電子メールを商品の検索対象から除外することができる。
【００７２】
更に通信部がインターネットを利用して商品情報の検索を行ったので、ウエブサイト上の広範囲な店舗を対象として商品の購入先やサービスを利用者に提示することができる。
【００７３】
なお、以上説明した第１の実施の形態では電子メールをコンテンツとして商品情報の検索を行ったが、コンテンツの対象は電子メールに限らないことは当然である。ツードゥ（ToDo）、スケジュールのような他のコンテンツを用いて特定人の興味を持つ商品に関する商品情報を検索してもよい。
【００７４】
＜第１の実施例の変形例＞
【００７５】
以上説明した第１の実施例では、受信した個々の電子メール等のコンテンツから商品情報の検索を行っている。このため、１つの商品に関する商品情報しかディスプレイ３１６（図１０）に表示されなかったり、具体的な商品情報を解析できない場合がある。ユーザがその電子メールの送信元の人に関する過去の電子メールの受信内容も覚えている場合はよいが、そうでない場合には、その者の興味を示す商品について偏在した評価を行う可能性がある。また、受信した電子メールには興味語が含まれておらず、その者の興味を示す商品が１通の電子メールによるコンテンツだけでは特定できない場合もある。
【００７６】
第１の実施例の変形例では、このような場合に、ユーザが図１０に示すコンテンツ蓄積部１１４Ａに調整された過去の同一人物のコンテンツを参照して商品情報を取得できるようにしている。ここでは、説明を簡単にするためにユーザが同一人物の過去の電子メールを併せて参照する場合を説明する。ツードゥ（ToDo）、スケジュールのような他の過去のコンテンツから同一人物の興味語と名詞のセットを抽出するものであってもよい。
【００７７】
図１４は、この変形例における商品情報の追加検索処理の流れを表わしたものである。図１０および図１１と共に説明する。また、図８と同一の処理を行う部分には同一のステップ番号を付しており、これらの説明を適宜省略する。
【００７８】
この変形例では、まず、図１１で説明したように電話帳に登録した者から電子メールを受信したら、これによる商品情報の検索結果をディスプレイ３１６に表示する（ステップＳ２１２Ａ）。このとき、ディスプレイ３１６には、このまま処理を終了するか（ステップＳ４１１）、あるいは同一人についての詳細な商品情報の検索を実行するか（ステップＳ４１２）の選択肢が表示される。
【００７９】
ユーザがそのまま検索処理を終了することを選択したとする（ステップＳ４１１：Ｙ）。この場合には、図１１で説明したと同様に、検索処理が終了する（エンド）。
【００８０】
次に、ユーザが詳細な商品情報の検索の実行を選択した場合を説明する。この場合（ステップＳ４１１：Ｎ、ステップＳ４１２：Ｙ）、検索要求部１１３は電子メール格納部３１３から図１１のステップＳ４０３で取得した電子メールの送信元についての過去の電子メールのコンテンツを取得する（ステップＳ４１３）。このとき、携帯電話機１００Ａのユーザは予め取得する電子メールの期間を制限する設定を行っておくことができる。
【００８１】
検索要求部１１３は同一人の過去の電子メールを取得したら、これらのコンテンツから名詞と動詞のセットを抽出する（ステップＳ２０３Ａ）。そして、これ以後はステップＳ２０４〜ステップＳ２１２の処理を行って、その結果をディスプレイ３１６に表示して処理を終了する（エンド）。ステップＳ２１２の表示では、過去に係わる商品情報ほどディスプレイ３１６の表示領域の下の部分に表示するようにしてもよいし、この逆であってもよい。また、同一商品の名詞の現われる頻度を計算して、頻度順に商品情報を表示してもよい。更に、興味語に興味の程度を表わすウエイトを付けており、商品の名詞の出現頻度との関係で商品ごとに総合の興味度合いを算出し、これに応じた順序や情報量で商品情報を表示することも有効である。
【実施例２】
【００８２】
次に、本発明の第２の実施例を説明する。
【００８３】
図１５は、本発明の第２の実施例における情報処理装置としての携帯電話機がインターネットに接続した状態を表わしたものである。図１５で図７あるいは図１０と同一部分には同一の符号を付しており、これらの説明を適宜省略する。
【００８４】
第２の実施例の携帯電話機１００Ｂは、ＣＰＵ３０１とメモリ３０２Ｂを備えた主制御部３０３Ｂを有している。ＣＰＵ３０１はメモリ３０２Ｂに格納した制御プログラムを実行することによって携帯電話機１００Ｂの各部を制御する。また、これら各部のうちの少なくも一部をソフトウェア的に実現することができる。
【００８５】
検索要求入力部１１２Ｂは、第１のタッチパネル５１１と第２のタッチパネル５１２の２つのタッチパネルを備えている。同様に検索結果提示部１１８Ｂは、第１の液晶ディスプレイ５１３と第２の液晶ディスプレイ５１４の２つの液晶ディスプレイを備えている。実際には、第１の液晶ディスプレイ５１３の表面に第１のタッチパネル５１１が取り付けられており、第２の液晶ディスプレイ５１４の表面に第２のタッチパネル５１２が取り付けられている。第１の液晶ディスプレイ５１３と第２の液晶ディスプレイ５１４の代わりに、有機ＥＬディスプレイ等の他のディスプレイが使用されるものであってもよい。
【００８６】
検索要求部１１３Ｂは、第１のタッチパネル５１１と第２のタッチパネル５１２からそれぞれタッチした座標に対応する座標データを入力する機能を新たに備えている。それ以外は図１０における検索要求部１１３と同じである。商品検索部１１６Ｂは、第１の液晶ディスプレイ５１３と第２の液晶ディスプレイ５１４にそれぞれ異なった表示用のデータを送出する機能を新たに備えている。それ以外は図１０における商品検索部１１６と同じである。
【００８７】
第２の実施例における携帯電話機１００Ｂは折り畳み式の電話機である。この携帯電話機１００Ｂは通常の折り畳み式の電話機におけるディスプレイが配置されている側の面に第１の液晶ディスプレイ５１３が配置されており、その表面に第１のタッチパネル５１１が取り付けられている。また、通常の折り畳み式の電話機における操作パネルが配置されている側の面に第２の液晶ディスプレイ５１４が配置されており、その表面に第２のタッチパネル５１２が取り付けられている。したがって、たとえば第２の液晶ディスプレイ５１４にアイコンやソフトウェアキーボードを表示してユーザに第２のタッチパネル５１２でこれらを操作させることができる。このため、多数のキースイッチを配置した従来の操作パネルは不要である。
【００８８】
図１６は、この第２の実施例で折り畳み式の携帯電話機を開いたときにおける検索前の表示状態を表わしたものである。図１６では簡略化のために携帯電話機１００Ｂ（図１５）のヒンジ機構等の詳細部分の図示は省略している。図１５と共に説明する。
【００８９】
折り畳み式の携帯電話機１００Ｂは、第１の筐体５２１と第２の筐体５２２が、図示しないヒンジ機構によって開閉自在に配置された構造となっている。第１の筐体５２１には第１の液晶ディスプレイ５１３が配置され、その表面に第１のタッチパネル５１１が取り付けられている。第２の筐体５２２には第２の液晶ディスプレイ５１４が配置され、その表面に第２のタッチパネル５１２が取り付けられている。ユーザは、第２の筐体５２２を手で持って、反対側の手の指で主として第１のタッチパネル５１１を操作するのが通常である。
【００９０】
ユーザが携帯電話機１００Ｂを開いて電子メールに関する情報の表示を行うモードに設定すると、第１の液晶ディスプレイ５１３に最近受信した電子メールの一覧が表示される。ユーザが第１のタッチパネル５１１を用いて矢印５４１で示した「クリスマスのプレゼント」というタイトルを選択したとする。すると、第２の液晶ディスプレイ５１４にはその電子メールがＡさんから送られてきたものであることと、Ａさんは電話帳格納部３１４に格納された電話帳に登録されていることが表示される。したがって、ユーザはこの「クリスマスのプレゼント」というタイトルの電子メールが迷惑メールでないことを知ることができる。第２の液晶ディスプレイ５１４にはＡさんの名前と共に、その写真等の他の属性を併せて表示したり、名前の代わりとして表示することも可能である。
【００９１】
図１７は、電話帳に登録された送信元から送られた電子メールを開いた状態での折り畳み式の携帯電話機の表示状態の一例を示したものである。図１５と共に説明する。
【００９２】
ユーザが図１６に示した「クリスマスのプレゼント」というタイトルの電子メールを選択すると、第１の液晶ディスプレイ５１３にはその本文が表示される。このとき、興味対象抽出部１１５が「ほしい」という動詞を興味語と判別して「トナカイ」や「ぬいぐるみ」等の名詞をセットとして抽出する。そして、商品検索部１１６Ｂがこれらの名詞の関連情報をインターネット１０１を用いて検索する。
【００９３】
この結果として、第２の液晶ディスプレイ５１４には「トナカイ」や「ぬいぐるみ」等の興味語のセットとなった名詞に関連する商品情報が表示されることになる。したがって、ユーザは商品情報を参考にしてＡさんにプレゼントを贈ったり、Ａさんに商品のアドバイスをする電子メールを書いて返信することができる。
【００９４】
また、以上の説明ではユーザが受信した電子メールを基にして商品情報を検索して表示するようにしたが、ユーザ自身が作成する電子メール等のコンテンツ自体から興味語と名詞のセットを抽出して、これを表示するようにしてもよい。この場合には、「トナカイのぬいぐるみは、Ｂ店舗に素敵なものがありますよ」という文章を作成したり、そのＢ店舗のＵＲＬを組み込んだ電子メール等のコンテンツを簡単に作成することができる。
【００９５】
以上説明した第２の実施例によれば、折り畳み式の携帯電話機を使用して２つのディスプレイを配置し、これらに別々の情報を表示することにした。これにより、一方のディスプレイに電子メールの受信内容のような本来表示すべき情報を表示しながら、他方のディスプレイに商品の検索結果というような異なる意図の情報を同時に、かつ物理的に分離して表示することができる。
【００９６】
なお、第２の実施例では検索要求入力部１１２Ｂに第１および第２のタッチパネル５１１、５１２を配置したが、これらタッチパネルの数は任意であり、１つあるいは３つ以上であってもよい。同様に第２の実施例では検索結果提示部１１８Ｂに第１および第２の液晶ディスプレイ５１３、５１４を配置したが、これらディスプレイの数は任意であり、１つあるいは３つ以上であってもよい。また、第１および第２の液晶ディスプレイ５１３、５１４に同時に電子メールや商品に関する情報を表示する必要はなく、たとえば１つのディスプレイの表示を切り替えて幾つかの情報を交互に表示することも可能である。
【００９７】
また、第２の実施例では第１の実施例と同様に携帯電話機に本発明を適用したが、これに限るものではない。ＰＨＳ、ＰＤＡ（Personal Digital Assistant）あるいは小型で携帯可能なパーソナルコンピュータ等の他の情報処理装置に対しても本発明を同様に適用することができる。また、コンテンツは文章で表現され、書いた者の行動や思想あるいは感情が現われる各種のものを含むことは当然である。
【００９８】
更に以上説明した実施の形態および各実施例ならびに変形例では、商品に対する興味を説明したが、これに限るものではない。たとえばサービスや自然界の事象についても、本発明を用いることにより簡単に情報を取得することができる。また、興味の対象となる商品等の情報はインターネット等の通信ネットワークで取得する必要は必ずしもなく、情報処理装置に接続された専用の情報データベースのようなものから検索によって取得するようになっていてもよい。
【００９９】
以上説明した実施の形態の一部または全部は、以下の付記のようにも記載されるが、以下の記載に限定されるものではない。
【０１００】
（付記１）
人が興味を示す際に使用する可能性のある予め定めた動詞を興味語として格納した興味語格納手段と、
人の興味の分析の対象となる文書データから動詞とその動詞と文脈上で対となる名詞をそれぞれセットとして抽出するセット抽出手段と、
このセット抽出手段で抽出したそれぞれのセットにおける動詞が前記興味語格納手段に格納された興味語に該当するか否かを判別する興味語有無判別手段と、
この興味語有無判別手段によって前記セットにおける動詞が興味語に該当すると判別されたときこれとセットになった名詞をキーワードとしてその名詞に関する情報を検索する情報検索手段
とを具備することを特徴とする情報処理装置。
【０１０１】
（付記２）
前記興味語格納手段に格納する興味語としての動詞を追加したり削除する編集手段を具備することを特徴とする付記１記載の情報処理装置。
【０１０２】
（付記３）
前記文書データは、電子メール、ツードゥ（ToDo）、スケジュール、電話帳のようにそれぞれの個人の属性を表わすコンテンツであることを特徴とする付記１記載の情報処理装置。
【０１０３】
（付記４）
前記情報検索手段の検索情報や通知情報等のイベント情報を表示する第１の表示手段と、
前記文書データ等の興味の対象となるコンテンツを表示する第２の表示手段
とを更に具備することを特徴とする付記１記載の情報処理装置。
【０１０４】
（付記５）
電子メールを受信する電子メール受信手段と、
電話の通信相手のうち所定の者を電子メールのアドレスと対応付けて予め登録した電話帳と、
人が興味を示す際に使用する可能性のある予め定めた動詞を興味語として登録した興味語辞書と、
前記電子メール受信手段が受信した電子メールの送信元のアドレスが前記電話帳に登録されているかを判別する電話帳登録有無判別手段と、
この電話帳登録有無判別手段が前記電話帳に登録されている送信元の電子メールのアドレスから電子メールを受信したと判別したときその電子メールに含まれる動詞が前記興味語辞書に登録されている興味語であるかを判別する興味語判別手段と、
この興味語判別手段によってその動詞が興味語である点と判別されたときその動詞と文脈上で対となる名詞を前記受信した電子メールから抽出する名詞抽出手段と、
この名詞抽出手段によって抽出した名詞をキーワードとしてその名詞に関する情報を検索する情報検索手段と、
この情報検索手段の検索結果を表示するディスプレイ
とを具備することを特徴とする通信端末。
【０１０５】
（付記６）
前記ディスプレイは前記電子メール受信手段の受信した電子メールのタイトルや電子メールの内容を表示する第１のディスプレイと、受信した電子メールの送信元のアドレスが前記電話帳に登録されているかの情報や前記情報検索手段による検索結果を表示する第２のディスプレイを備えていることを特徴とする付記５記載の通信端末。
【０１０６】
（付記７）
前記電子メール受信手段の受信した電子メールをそれらの送信元のアドレスと関連付けて格納する電子メール格納手段と、
この電子メール格納手段に電子メールが格納されるたびに前記電話帳登録有無判別手段がその電子メールの送信元のアドレスが前記電話帳に登録されているかを判別することを特徴とする付記５記載の通信端末。
【０１０７】
（付記８）
前記電子メール受信手段の受信した電子メールをそれらの送信元のアドレスと関連付けて格納する電子メール格納手段と、
この電子メール格納手段に格納されている電子メールのリストを表示する電子メールリスト表示手段と、
この電子メールリスト表示手段に表示されている電子メールのリストから所望の電子メールを選択する電子メール選択手段
とを備え、
この電子メール選択手段によって選択した電子メールの送信元のアドレスが前記電話帳に登録されているかを判別することを特徴とする付記５記載の通信端末。
【０１０８】
（付記９）
前記情報検索手段が前記電子メール格納手段に登録されている電子メールの名詞に関する情報を検索したとき、その結果を基にしてこの電子メール格納手段に格納されている同一の送信元のアドレスの電子メールに関しても興味語の抽出と抽出した興味語とセットになる名詞に関する情報の検索を行いその結果を表示することを特徴とする付記７記載の通信端末。
【０１０９】
（付記１０）
人の興味の分析の対象となる文書データから動詞とその動詞と文脈上で対となる名詞をそれぞれセットとして抽出するセット抽出ステップと、
このセット抽出ステップで抽出したそれぞれのセットにおける動詞が、人が興味を示す際に使用する可能性のある予め定めた動詞としての興味語に該当するか否かを判別する興味語有無判別ステップと、
この興味語有無判別ステップによって前記セットにおける動詞が興味語に該当すると判別されたときこれとセットになった名詞をキーワードとしてその名詞に関する情報を検索する情報検索ステップと、
この情報検索ステップで検索した情報を表示する情報表示ステップ
とを具備することを特徴とする興味情報提供方法。
【０１１０】
（付記１１）
前記文書データは、電子メール、ツードゥ（ToDo）、スケジュール、電話帳のようにそれぞれの個人の属性を表わすコンテンツであることを特徴とする付記１０記載の興味情報提供方法。
【０１１１】
（付記１２）
電子メールを受信する電子メール受信ステップと、
この電子メール受信ステップで受信した電子メールの送信元のアドレスが、電話の通信相手のうち電子メールのアドレスと対応付けて電話帳に予め登録した所定の者の電子メールのアドレスに該当するかを判別する電話帳登録有無判別ステップと、
この電話帳登録有無判別ステップで前記電話帳に登録されている送信元の電子メールのアドレスから電子メールを受信したと判別したときその電子メールに含まれる動詞が、人が興味を示す際に使用する可能性のある予め定めた動詞としての興味語に該当するかを判別する興味語判別ステップと、
この興味語判別ステップによってその動詞が興味語であると判別されたときその動詞と文脈上で対となる名詞を前記受信した電子メールから抽出する名詞抽出ステップと、
この名詞抽出ステップによって抽出した名詞をキーワードとしてその名詞に関する情報を検索する情報検索ステップと、
この情報検索ステップによる検索結果を表示する情報表示ステップ
とを具備することを特徴とする興味情報提供方法。
【０１１２】
（付記１３）
コンピュータに、
人の興味の分析の対象となる文書データから動詞とその動詞と文脈上で対となる名詞をそれぞれセットとして抽出するセット抽出処理と、
このセット抽出処理で抽出したそれぞれのセットにおける動詞が、人が興味を示す際に使用する可能性のある予め定めた動詞としての興味語に該当するか否かを判別する興味語有無判別処理と、
この興味語有無判別処理によって前記セットにおける動詞が興味語に該当すると判別されたときこれとセットになった名詞をキーワードとしてその名詞に関する情報を検索する情報検索処理と、
この情報検索処理で検索した情報を表示する情報表示処理
とを実行させることを特徴とする興味情報提供プログラム。
【０１１３】
（付記１４）
前記文書データは、電子メール、ツードゥ（ToDo）、スケジュール、電話帳のようにそれぞれの個人の属性を表わすコンテンツであることを特徴とする付記１３記載の興味情報提供プログラム。
【０１１４】
（付記１５）
コンピュータに、
電子メールを受信する電子メール受信処理と、
この電子メール受信処理で受信した電子メールの送信元のアドレスが、電話の通信相手のうち電子メールのアドレスと対応付けて電話帳に予め登録した所定の者の電子メールのアドレスに該当するかを判別する電話帳登録有無判別処理と、
この電話帳登録有無判別処理で前記電話帳に登録されている送信元の電子メールのアドレスから電子メールを受信したと判別したときその電子メールに含まれる動詞が、人が興味を示す際に使用する可能性のある予め定めた動詞としての興味語に該当するかを判別する興味語判別処理と、
この興味語判別処理によってその動詞が興味語であると判別されたときその動詞と文脈上で対となる名詞を前記受信した電子メールから抽出する名詞抽出処理と、
この名詞抽出処理によって抽出した名詞をキーワードとしてその名詞に関する情報を検索する情報検索処理と、
この情報検索処理による検索結果を表示する情報表示処理
とを実行させることを特徴とする興味情報提供プログラム。
【符号の説明】
【０１１５】
１０  情報処理装置
１１  興味語格納手段
１２  セット抽出手段
１３  興味語有無判別手段
１４、２７  情報検索手段
２０、１００  通信端末
２１  電子メール受信手段
２２  電話帳
２３  興味語辞書
２４  電話帳登録有無判別手段
２５  興味語判別手段
２６  名詞抽出手段
２８  ディスプレイ
３０、４０  興味情報提供方法
３１  セット抽出ステップ
３２  興味語有無判別ステップ
３３、４５  情報検索ステップ
３４、４６  情報表示ステップ
４１  電子メール受信ステップ
４２  電話帳登録有無判別ステップ
４３  興味語判別ステップ
４４  名詞抽出ステップ
５０、６０  興味情報提供プログラム
５１  セット抽出処理
５２  興味語有無判別処理
５３、６５  情報検索処理
５４、６６  情報表示処理
６１  電子メール受信処理
６２  電話帳登録有無判別処理
６３  興味語判別処理
６４  名詞抽出処理
１００Ａ、１００Ｂ  携帯電話機
１０１  インターネット
１１１、１１１Ａ  通信部
１１２、１１２Ａ、１１２Ｂ  検索要求入力部
１１３、１１３Ｂ  検索要求部
１１４、１１４Ａ  コンテンツ蓄積部
１１５  興味対象抽出部
１１６、１１６Ｂ  商品検索部
１１７  興味辞書
１１８、１１８Ａ、１１８Ｂ  検索結果提示部
３０１  ＣＰＵ
３０２、３０２Ｂ  メモリ
３０３、３０３Ｂ  主制御部
３１３  電子メール格納部
３１４  電話帳格納部
３１６  液晶ディスプレイ
３５１、３５２  ウィンドウ
５１１  第１のタッチパネル
５１２  第２のタッチパネル
５１３  第１の液晶ディスプレイ
５１４  第２の液晶ディスプレイ
【図１】
2011180646.tif 000003
【図２】
2011180646.tif 000004
【図３】
2011180646.tif 000005
【図４】
2011180646.tif 000006
【図５】
2011180646.tif 000007
【図６】
2011180646.tif 000008
【図７】
2011180646.tif 000009
【図８】
2011180646.tif 000010
【図９】
2011180646.tif 000011
【図１０】
2011180646.tif 000012
【図１１】
2011180646.tif 000013
【図１２】
2011180646.tif 000014
【図１３】
2011180646.tif 000015
【図１４】
2011180646.tif 000016
【図１５】
2011180646.tif 000017
【図１６】
2011180646.tif 000018
【図１７】
2011180646.tif 000019